(57)【要約】  装置が、第１のキャパシタと、第１のキャパシタに結合されるインダクタと、インダクタに結合される第２のキャパシタとを含む。第２のキャパシタは、差動増幅器の第１の出力に結合される。
2017517208.tif 000002
【特許請求の範囲】
【請求項１】
装置であって、
第１のキャパシタと、
前記第１のキャパシタに結合されるインダクタと、
前記インダクタと、差動増幅器の第１の出力とに結合される第２のキャパシタとを備える、装置。
【請求項２】
前記第１のキャパシタは第１のトランジスタに結合され、前記インダクタは第２のトランジスタに結合される、請求項１に記載の装置。
【請求項３】
前記インダクタに結合される第３のキャパシタと、
前記インダクタと、前記差動増幅器の第２の出力とに結合される第４のキャパシタとをさらに備える、請求項１に記載の装置。
【請求項４】
前記第３のキャパシタは第３のトランジスタに結合される、請求項３に記載の装置。
【請求項５】
前記第２のキャパシタに結合される第５のキャパシタと、
前記第５のキャパシタに結合される第２のインダクタと、
前記第４のキャパシタに結合され、前記第２のインダクタに結合される第６のキャパシタとをさらに備える、請求項３に記載の装置。
【請求項６】
広帯域にわたって調整可能である電力増幅器をさらに備え、前記電力増幅器は、前記第１のキャパシタ、前記インダクタおよび前記第２のキャパシタを含む、請求項１に記載の装置。
【請求項７】
前記電力増幅器に送信信号を与えるように構成されるドライバ増幅器をさらに備え、前記ドライバ増幅器は、
第７のキャパシタに並列に結合される第１のスイッチと、
第８のキャパシタに並列に結合される第２のスイッチと、
第３のインダクタに並列に結合される第３のスイッチとを備え、前記第１のスイッチ、前記第２のスイッチおよび前記第３のスイッチは、前記ドライバ増幅器の動作周波数を調節するために選択的に起動される、請求項１に記載の装置。
【請求項８】
前記第７のキャパシタおよび前記第８のキャパシタは調整可能である、請求項７に記載の装置。
【請求項９】
前記ドライバ増幅器はさらに、
第４のインダクタの第１の端子を前記第３のインダクタの第２の端子に選択的に結合するように構成される第４のスイッチと、
前記第４のインダクタの第２の端子を前記第３のインダクタの第１の端子に選択的に結合するように構成される第５のスイッチとを備え、
前記第４のスイッチおよび前記第５のスイッチは、前記ドライバ増幅器のインダクタンスを調節するために選択的に起動される、請求項７に記載の装置。
【請求項１０】
装置であって、
電荷を蓄積するための第１の手段と、
電荷を蓄積するための前記第１の手段に結合されるインダクタンスを生成するための第１の手段と、
インダクタンスを生成するための前記第１の手段と、差動増幅器の第１の出力とに結合される、電荷を蓄積するための第２の手段とを備える、装置。
【請求項１１】
電荷を蓄積するための前記第１の手段は、第１のトランジスタに結合され、インダクタンスを生成するための前記第１の手段は第２のトランジスタに結合される、請求項１０に記載の装置。
【請求項１２】
前記インダクタンスを生成するための前記第１の手段に結合される、電荷を蓄積するための第３の手段と、
前記インダクタンスを生成するための前記第１の手段と、前記差動増幅器の第２の出力とに結合される、電荷を蓄積するための第４の手段とをさらに備える、請求項１０に記載の装置。
【請求項１３】
電荷を蓄積するための前記第１の手段および電荷を蓄積するための前記第３の手段は調整可能である、請求項１２に記載の装置。
【請求項１４】
電荷を蓄積するための前記第２の手段に結合される、電荷を蓄積するための第５の手段と、
電荷を蓄積するための前記第５の手段に結合されるインダクタンスを生成するための第２の手段と、
電荷を蓄積するための前記第４の手段と、前記インダクタンスを生成するための前記第２の手段とに結合される、電荷を蓄積するための第６の手段とをさらに備える、請求項１２に記載の装置。
【請求項１５】
送信信号を増幅するための手段をさらに備え、前記送信信号を増幅するための前記手段は、電荷を蓄積するための前記第１の手段と、前記インダクタンスを生成するための前記第１の手段と、電荷を蓄積するための前記第２の手段とを含む、請求項１０に記載の装置。
【請求項１６】
前記送信信号を増幅するための前記手段に前記送信信号を与えるように構成される前記送信信号を生成するための手段をさらに備え、前記送信信号を生成するための前記手段は、
電荷を蓄積するための第７の手段に並列に結合される切り替えるための第１の手段と、
電荷を蓄積するための第８の手段に並列に結合される切り替えるための第２の手段と、
インダクタンスを生成するための第３の手段に並列に結合される切り替えるための第３の手段とを備え、切り替えるための前記第１の手段、切り替えるための前記第２の手段および切り替えるための前記第３の手段は、前記送信信号を生成するための前記手段の動作周波数を調節するために選択的に起動される、請求項１５に記載の装置。
【請求項１７】
前記送信信号を生成するための前記手段は、
インダクタンスを生成するための第４の手段の第１の端子を、前記インダクタンスを生成するための前記第３の手段の第２の端子に選択的に結合したに構成される、切り替えるための第４の手段と、
前記インダクタンスを生成するための前記第４の手段の第２の端子を、前記インダクタンスを生成するための前記第３の手段の第１の端子に選択的に結合するように構成される、切り替えるための第５の手段とをさらに備え、
切り替えるための前記第４の手段および切り替えるための前記第５の手段は、前記送信信号を生成するための前記手段のインダクタンスを調節するために選択的に起動される、請求項１６に記載の装置。
【請求項１８】
方法であって、
電力増幅器の差動増幅器において差動入力信号を増幅することと、
前記増幅された差動信号を前記差動増幅器の第１の出力においてキャパシタに与えることと、ここにおいて、前記キャパシタはインダクタに結合され、前記インダクタは第２のキャパシタに結合される、方法。
【請求項１９】
電力増幅器を第１の周波数帯域において動作させるために、前記インダクタに結合される第１のトランジスタを動作状態にすることをさらに備える、請求項１８に記載の方法。
【請求項２０】
前記電力増幅器を第１の周波数帯域および第２の周波数帯域において同時に動作させるために、前記第２のキャパシタに結合される第２のトランジスタを動作状態にすることをさらに含む、請求項１８に記載の方法。
【発明の詳細な説明】
【技術分野】
【０００１】
関連出願の相互参照
[0001]本出願は、その内容全体が参照により本明細書に明確に組み込まれる、２０１４年５月２３日に出願された、同一出願人が所有する米国非仮特許出願第１４／２８６，７９１号の優先権を主張する。
【０００２】
[0002]本開示は包括的にはマルチバンド電力増幅器に関する。
【背景技術】
【０００３】
[0003]技術が進歩した結果、コンピューティングデバイスがより小さくより、強力になった。たとえば、現在、小型軽量で、ユーザの携行が容易である、ポータブルワイヤレス電話、携帯情報端末（ＰＤＡ）、およびページングデバイスなどのワイヤレスコンピューティングデバイスを含む、様々なポータブルパーソナルコンピューティングデバイスが存在する。より具体的には、携帯電話およびインターネットプロトコル（ＩＰ）電話などのポータブルワイヤレス電話は、ワイヤレスネットワークを介して音声およびデータパケットを通信することができる。さらに、数多くのそのようなワイヤレス電話が、内蔵されている他のタイプのデバイスを含む。たとえば、ワイヤレス電話が、デジタルスチルカメラと、デジタルビデオカメラと、デジタルレコーダと、オーディオファイルプレーヤとを含むこともできる。さらに、そのようなワイヤレス電話は、インターネットにアクセスするために使用され得るウェブブラウザアプリケーションなどのソフトウェアアプリケーションを含む、実行可能命令を処理することができる。したがって、これらのワイヤレス電話は、かなりのコンピューティング能力を含むことができる。
【０００４】
[0004]ワイヤレスデバイスは、複数の周波数帯域にわたって信号を送信するために複数の電力増幅器およびドライバ増幅器を含む場合がある。たとえば、第１のドライバ増幅器および第１の電力増幅器は、第１の周波数帯域（たとえば、２．４ギガヘルツ（ＧＨｚ）帯域）にわたって信号を送信するように構成可能な場合がある。さらに、第２のドライバ増幅器および第２の電力増幅器は、第２の周波数帯域（たとえば、５．６ＧＨｚ帯域）にわたって信号を送信するように構成可能な場合がある。マルチバンド送信（たとえば、デュアルバンド送信）のために複数のドライバ増幅器および複数の電力増幅器を使用することは、ダイ面積を増やす場合がある。たとえば、各ドライバ増幅器のためのトランジスタコアおよび各電力増幅器のためのトランジスタコアは相対的に大きい場合があり（たとえば、ミリメートル（ｍｍ）範囲内）、ドライバ増幅器および電力増幅器のチップサイズ、ダイ面積を大きくし、コストを上げる場合がある。
【図面の簡単な説明】
【０００５】
【図１】[0005]ワイヤレスシステムと通信するワイヤレスデバイスを示す図。
【図２】[0006]図１のワイヤレスデバイスを示すブロック図。
【図３】[0007]単一のトランジスタコアを含む差動増幅器を有するデュアルバンド電力増幅器の例示的な実施形態を示す図。
【図４】[0008]単一のトランジスタコアを含む差動増幅器を有するトライバンド電力増幅器の例示的な実施形態を示す図。
【図５】[0009]単一のトランジスタコアを含む差動増幅器を有するマルチバンドドライバ増幅器の例示的な実施形態を示す図。
【図６】[0010]単一のトランジスタコアを含む差動増幅器を有するマルチバンドドライバ増幅器の別の例示的な実施形態を示す図。
【図７】[0011]マルチバンド電力増幅器を動作させる方法の例示的な実施形態を示す流れ図。
【発明を実施するための形態】
【０００６】
[0012]以下に記載される詳細な説明は、本開示の例示的な設計の説明として意図され、本開示が実践され得る唯一の設計を表すことは意図されていない。「例示的」という用語は、本明細書において、「例、実例、または例示として働く」を意味するために使用される。本明細書において「例示的」として説明されるすべての設計は、必ずしも、他の設計より好ましいか、または有利であると解釈されるべきではない。詳細な説明は、本開示の例示的な設計を完全に理解してもらうために、具体的な詳細を含む。本明細書において説明される例示的な設計が、これらの具体的な詳細なしに実践され得ることは、当業者には明らかであろう。場合によっては、本明細書において提示される例示的な設計の新規性を不明瞭にすることを避けるために、周知の構造およびデバイスはブロック図の形で示される。
【０００７】
[0013]図１は、ワイヤレス通信システム１２０と通信するワイヤレスデバイス１１０を示す。ワイヤレスシステム１２０は、ロングタームエボリューション（ＬＴＥ（登録商標）：Long Term Evolution）システム、符号分割多元接続（ＣＤＭＡ）システム、モバイル通信用グローバルシステム（ＧＳＭ（登録商標）：Global System for Mobile Communications）システム、ワイヤレスローカルエリアネットワーク（ＷＬＡＮ：wireless local area network）システム、または何らかの他のワイヤレスシステムとすることができる。ＣＤＭＡシステムは、広帯域ＣＤＭＡ（ＷＣＤＭＡ（登録商標））、ＣＤＭＡ  １Ｘ、エボリューションデータオプティマイズド（ＥＶＤＯ：Evolution-Data Optimized）、時分割同期ＣＤＭＡ（ＴＤ−ＳＣＤＭＡ：Time Division Synchronous CDMA）、またはＣＤＭＡの何らかの他のバージョンを実現することができる。簡単のために、図１は、２つの基地局１３０および１３２と１つのシステムコントローラ１４０とを含むワイヤレス通信システム１２０を示している。概して、ワイヤレスシステムは、任意の数の基地局と、ネットワークエンティティの任意のセットとを含む場合がある。
【０００８】
[0014]ワイヤレスデバイス１１０は、ユーザ機器（ＵＥ）、移動局、端末、アクセス端末、加入者ユニット、局などと呼ばれることもある。ワイヤレスデバイス１１０は、セルラー電話、スマートフォン、タブレット、ワイヤレスモデム、携帯情報端末（ＰＤＡ）、ハンドヘルドデバイス、ラップトップコンピュータ、スマートブック、ネットブック、コードレス電話、ワイヤレスローカルループ（ＷＬＬ）ステーション、ブルートゥース（登録商標）デバイスなどとすることができる。ワイヤレスデバイス１１０はワイヤレスシステム１２０と通信することができる。また、ワイヤレスデバイス１１０は、放送局（たとえば、放送局１３４）からの信号、１つまたは複数のグローバルナビゲーション衛星システム（ＧＮＳＳ：global navigation satellite systems）内の衛星（たとえば、衛星１５０）からの信号などを受信することもできる。ワイヤレスデバイス１１０は、ＬＴＥ、ＷＣＤＭＡ、ＣＤＭＡ  １Ｘ、ＥＶＤＯ、ＴＤ−ＳＣＤＭＡ、ＧＳＭ、８０２．１１など、ワイヤレス通信のための１つまたは複数の無線技術をサポートすることができる。
【０００９】
[0015]図２は、図１のワイヤレスデバイス１１０の例示的な設計のブロック図を示す。この例示的な設計では、ワイヤレスデバイス１１０は、１次アンテナ２１０に結合されたトランシーバ２２０と、２次アンテナ２１２に結合されたトランシーバ２２２と、データプロセッサ／コントローラ２８０とを含む。トランシーバ２２０は、複数の周波数帯域、複数の無線技術、キャリアアグリゲーションなどをサポートするために、複数（Ｋ個）の受信機パス２３０ｐａ〜２３０ｐｋと複数（Ｋ個）の送信機パス２５０ｐａ〜２５０ｐｋとを含む。トランシーバ２２２は、複数の周波数帯域、複数の無線技術、キャリアアグリゲーション、受信ダイバーシティ、複数の送信アンテナから複数の受信アンテナへの多入力多出力（ＭＩＭＯ）送信などをサポートするために、複数（Ｌ個）の受信機パス２３０ｓａ〜２３０ｓｌと複数（Ｌ個）の送信機パス２５０ｓａ〜２５０ｓｌとを含む。
【００１０】
[0016]図２に示される例示的な設計では、各受信機パス２３０ｐａ、２３０ｐｋ、２３０ｓａ、２３０ｓｌはそれぞれ、ＬＮＡ２４０ｐａ、２４０ｐｋ、２３０ｓａ、２４０ｓｌと、受信回路２４２ｐａ、２４２ｐｋ、２４２ｓａ、２４２ｓｌとを含む。データ受信の場合、アンテナ２１０は、基地局および／または他の送信機局から信号を受信し、受信ＲＦ信号を与え、その受信ＲＦ信号は、アンテナインターフェース回路２２４を介してルーティングされ、選択された受信機に入力ＲＦ信号として提示される。アンテナインターフェース回路２２４は、スイッチ、デュプレクサ、送信フィルタ、受信フィルタ、整合回路などを含む場合がある。以下の説明では、受信機パス２３０ｐａが選択された受信機パスであると仮定する。受信機パス２３０ｐａ内で、ＬＮＡ２４０ｐａが入力ＲＦ信号を増幅し、出力ＲＦ信号を与える。受信回路２４２ｐａは、出力ＲＦ信号をＲＦからベースバンドにダウンコンバートし、ダウンコンバートされた信号を増幅およびフィルタリングし、データプロセッサ２８０にアナログ入力信号を与える。受信回路２４２ｐａは、ミキサ、フィルタ、増幅器、整合回路、発振器、局部発振器（ＬＯ）発生器、位相同期ループ（ＰＬＬ：phase locked loop）などを含む場合がある。トランシーバ２２０および２２２内の残りの各受信機パス２３０ｐｋ、２３０ｓａ、２３０ｓｌは、受信機パス２３０ｐａと同じようにして動作する場合がある。
【００１１】
[0017]図２に示される例示的な設計では、各送信機パス２５０ｐａ、２５０ｐｋ、２５０ｓａ、２５０ｓｌはそれぞれ、送信回路２５２ｐａ、２５２ｐｋ、２５２ｓａ、２５２ｓｌと、電力増幅器（ＰＡ）２５４ｐａ、２５４ｐｋ、２５４ｓａ、２５４ｓｌとを含む。データ送信の場合、データプロセッサ２８０は、送信されるべきデータを処理（たとえば、符号化および変調）し、選択された送信機にアナログ出力信号を与える。以下の説明では、送信機パス２５０ｐａが選択された送信機パスであると仮定する。送信機パス２５０ｐａ内で、送信回路２５２ｐａは、アナログ出力信号を増幅およびフィルタリングし、ベースバンドからＲＦにアップコンバートし、被変調ＲＦ信号を与える。送信回路２５２ｐａは、増幅器、フィルタ、ミキサ、整合回路、発振器、ＬＯ発生器、ＰＬＬなどを含む場合がある。ＰＡ２５４ｐａは、被変調ＲＦ信号を受信し、増幅し、適切な出力電力レベルを有する送信ＲＦ信号を与える。送信ＲＦ信号は、アンテナインターフェース回路２２４を介してルーティングされ、アンテナ２１０を介して送信される。トランシーバ２２０および２２２内の残りの各送信機パス２５０ｐｋ、２５０ｓａ、２５０ｓｌは、送信機２５０ｐａと同じようにして動作する場合がある。
【００１２】
[0018]図２は、受信機２３０および送信機２５０の例示的な設計を示す。受信機および送信機はまた、フィルタ、整合回路など、図２に示されていない他の回路を含む場合もある。トランシーバ２２０および２２２の全部または一部分が、１つまたは複数のアナログ集積回路（ＩＣ）、ＲＦ  ＩＣ（ＲＦＩＣ）、混合信号ＩＣなどの上に実装される場合がある。たとえば、ＬＮＡ２４０および受信回路２４２は、ＲＦＩＣなどである場合がある１つのモジュール上に実装される場合がある。トランシーバ２２０および２２２内の回路は他の方法で実装される場合もある。
【００１３】
[0019]例示的な実施形態では、送信回路２５２ｐａ、２５２ｐｋ、２５２ｓａ、２５２ｓｌはそれぞれ、ドライバ増幅器２９０ｐａ、２９０ｐｋ、２９０ｓａ、２９０ｓｌを含む場合がある。ドライバ増幅器２９０ｐａ、２９０ｐｋ、２９０ｓａ、２９０ｓｌは、コントローラ２８０から送信信号（たとえば、入力信号）を受信する場合がある。ドライバ増幅器２９０ｐａ、２９０ｐｋ、２９０ｓａ、２９０ｓｌのうちの１つまたは複数は、図５に関連してさらに詳細に説明されるようなマルチバンドドライバ増幅器５００、または図６に関連してさらに詳細に説明されるようなマルチバンドドライバ増幅器６００のような、単一のトランジスタコアを有するマルチバンドドライバ増幅器である場合がある。たとえば、ドライバ増幅器２９０ｐａ、２９０ｐｋ、２９０ｓａ、２９０ｓｌのうちの１つまたは複数が、第１の周波数帯域、第２の周波数帯域、またはその任意の組合せにおいて選択的に動作するために、制御回路２８４から制御信号を受信する場合がある。ドライバ増幅器２９０ｐａ、２９０ｐｋ、２９０ｓａ、２９０ｓｌは、増幅された送信信号２９４ｐａ、２９４ｐｋ、２９４ｓａ、２９４ｓｌをそれぞれ電力増幅器２５４ｐａ、２５４ｐｋ、２５４ｓａ、２５４ｓｌに与える場合がある。
【００１４】
[0020]例示的な実施形態では、電力増幅器２５４ｐａ、２５４ｐｋ、２５４ｓａ、２５４ｓｌはそれぞれ、ドライバ増幅器２９０ｐａ、２９０ｐｋ、２９０ｓａ、２９０ｓｌから出力信号を受信する場合がある。電力増幅器２５４ｐａ、２５４ｐｋ、２５４ｓａ、２５４ｓｌのうちの１つまたは複数は、マルチバンド電力増幅器である場合がある。たとえば、電力増幅器２５４ｐａ、２５４ｐｋ、２５４ｓａ、２５４ｓｌのうちの１つまたは複数は、図３に関連してさらに詳細に説明されるようなデュアルバンド電力増幅回路３００のような、単一の差動増幅器（たとえば、単一のトランジスタコア）を有するデュアルバンド電力増幅回路を含む場合がある。それに加えて、またはその代わりに、電力増幅器２５４ｐａ、２５４ｐｋ、２５４ｓａ、２５４ｓｌのうちの１つまたは複数は、図４に関連してさらに詳細に説明されるようなトライバンド電力増幅器４００のような、差動増幅器（たとえば、単一のトランジスタコア）を有するトライバンド増幅回路を含む場合がある。例示的な実施形態では、電力増幅器２５４ｐａ、２５４ｐｋ、２５４ｓａ、２５４ｓｌのうちの１つまたは複数は、第１の周波数帯域、第２の周波数帯域、第３の周波数帯域またはその任意の組合せにおいて選択的に動作するために、制御回路２８４から制御信号（たとえば、制御信号２９９ｐａ）を受信する場合がある。図３に関連してさらに詳細に説明されるように、制御信号２９９ｐａは、第１のイネーブル信号（Ｆｉｒｓｔ＿ＥＮ）、第２のイネーブル信号（Ｓｅｃｏｎｄ＿ＥＮ）および／または送信イネーブル信号（ＴＸ＿ＥＮ）を含む場合がある。増幅回路３００は、増幅された信号２９６ｐａ（たとえば、電力増幅器２５４ｐａの出力信号）をアンテナインターフェース回路２２４に与える場合がある。
【００１５】
[0021]データプロセッサ／コントローラ２８０が、ワイヤレスデバイス１１０の種々の機能を実行する場合がある。たとえば、データプロセッサ２８０は、受信機２３０を介して受信されているデータおよび送信機２５０を介して送信されているデータのための処理を実行する場合がある。コントローラ２８０は、トランシーバ２２０および２２２内の種々の回路の動作を制御する場合がある。たとえば、コントローラ２８０は、第１の周波数帯域、第２の周波数帯域またはその任意の組合せにおいて動作するように、電力増幅器２５４ｐａ、２５４ｐｋ、２５４ｓａ、２５４ｓｌのうちの１つまたは複数および／またはドライバ増幅器２９０ｐａ、２９０ｐｋ、２９０ｓａ、２９０ｓｌのうちの１つまたは複数にバイアスをかける制御回路２８４を含む場合がある。メモリ２８２は、データプロセッサ／コントローラ２８０のためのプログラムコードとデータとを記憶する場合がある。データプロセッサ／コントローラ２８０は、１つまたは複数の特定用途向け集積回路（ＡＳＩＣ）上および／または他のＩＣ上に実装される場合がある。
【００１６】
[0022]ワイヤレスデバイス１１０は、複数の帯域グループ、複数の無線技術および／または複数のアンテナをサポートする場合がある。ワイヤレスデバイス１１０は、複数の帯域グループ、複数の無線技術および／または複数のアンテナを介しての受信をサポートするためにいくつかのＬＮＡを含む場合がある。
【００１７】
[0023]図３を参照すると、単一のトランジスタコアを含む、差動増幅器３０２を有するデュアルバンド電力増幅器３００の図が示される。例示的な実施形態では、電力増幅器３００は、図２の電力増幅器２５４ｐａ〜２５４ｐｋ、２５４ｓａ〜２５４ｓｌのうちの１つまたは複数に対応する場合があるか、またはその中に含まれる場合がある。電力増幅器３００は、第１の周波数帯域、第２の周波数帯域において選択的に動作するか、または第１の周波数帯域および第２の周波数帯域において同時に動作するように、制御回路（たとえば、制御回路２８４）から、制御信号（たとえば、送信イネーブル信号（ＴＸ＿ＥＮ）、第１のイネーブル信号（Ｆｉｒｓｔ＿ＥＮ）および第２のイネーブル信号（Ｓｅｃｏｎｄ＿ＥＮ））を受信する場合がある。制御信号は、図２の制御信号２９９ｐａに対応する場合がある。例示的な実施形態では、電力増幅器３００は、広帯域周波数範囲内で調整可能な場合がある。たとえば、電力増幅器３００は、少なくとも２５６キロビット／秒の通信帯域幅を有する広い周波数スペクトル（たとえば、広範な周波数範囲）内で動作するように調整される場合がある。
【００１８】
[0024]電力増幅器３００は、差動増幅器３０２（たとえば、トランジスタコア）と、変圧器３０４（たとえば、出力バラン）とを含む場合がある。差動増幅器３０２は、トランジスタ３０６と、トランジスタ３０８と、トランジスタ３１０と、トランジスタ３１２とを含む場合がある。例示的な実施形態では、差動増幅器３０２のトランジスタ３０６〜３１２は、ｎ型金属酸化膜半導体（ＮＭＯＳ）トランジスタである場合がある。トランジスタ３０６およびトランジスタ３０８は差動トランジスタ対を形成する。トランジスタ３０６のソースおよびトランジスタ３０８のソースがグラウンドに結合される場合がある。トランジスタ３０６のゲートおよびトランジスタ３０８のゲートが、差動入力信号（ＩＮ＋、ＩＮ−）を受信するように結合される場合がある。例示するために、トランジスタ３０６のゲートおよびトランジスタ３０８のゲートが、ドライバ増幅器２９０ｐａから、図２の増幅された送信信号２９４ｐａを受信するように結合される場合がある。トランジスタ３０６のドレインが、トランジスタ３１０のソースに結合される場合があり、トランジスタ３０８のドレインが、トランジスタ３１２のソースに結合される場合がある。
【００１９】
[0025]差動増幅器３０２は、変圧器３０４に結合される場合がある。変圧器３０４はインダクタ３２２を含む場合があり、インダクタ３２２は、インダクタ３２４に電磁結合される。トランジスタ３１０のドレインが、インダクタ３２２の第１の端子に結合される場合があり、トランジスタ３１２のドレインが、インダクタ３２２の第２の端子に結合される場合がある。変圧器３０４は、インダクタ３２２（たとえば、一次巻線）からインダクタ３２４（たとえば、二次巻線）にエネルギーを伝達し、インダクタ３２４において電力増幅器３００の出力を生成する場合がある。たとえば、電力増幅器３００の出力は、磁界と、一次巻線と二次巻線との間の相互誘導とに基づいて、インダクタ３２４を通って伝搬する出力信号２９６ｐａに対応する場合がある。例示的な実施形態では、電力増幅器３００の出力は、アンテナインターフェース回路（たとえば、図２のアンテナインターフェース回路２２４または図２のアンテナインターフェース回路２２６）に与えられる場合がある。
【００２０】
[0026]キャパシタ３１４の第１の端子が、トランジスタ３１０のドレインに結合される場合があり、キャパシタ３１４の第２の端子が、トランジスタ３１８のドレインに結合される場合がある。同じようにして、キャパシタ３１６の第１の端子が、トランジスタ３１２のドレインに結合される場合があり、キャパシタ３１６の第２の端子が、トランジスタ３２０のドレインに結合される場合がある。例示的な実施形態では、トランジスタ３１８、３２０はＮＭＯＳトランジスタである。トランジスタ３１８のソースおよびトランジスタ３２０のソースがグラウンドに結合される場合がある。トランジスタ３１８のゲートおよびトランジスタ３２０のゲートが、送信イネーブル信号（ＴＸ＿ＥＮ）を受信するように結合される場合がある。
【００２１】
[0027]キャパシタ３２６の第１の端子はトランジスタ３１０のドレインに結合される場合があり、キャパシタ３２６の第２の端子は、インダクタ３３０の第１の端子に結合される場合がある。キャパシタ３２８の第１の端子はトランジスタ３１２のドレインに結合される場合があり、キャパシタ３２８の第２の端子は、インダクタ３３０の第２の端子に結合される場合がある。インダクタ３３０の第１の端子は、トランジスタ３３２のドレインに結合される場合があり、インダクタ３３０の第２の端子は、トランジスタ３３４のドレインに結合される場合がある。例示的な実施形態では、トランジスタ３３２、３３４はＮＭＯＳトランジスタである。トランジスタ３３２のソースおよびトランジスタ３３４のソースがグラウンドに結合される。トランジスタ３３２のゲートおよびトランジスタ３３４のゲートが、第１のイネーブル信号（Ｆｉｒｓｔ＿ＥＮ）を受信するように結合される場合がある。
【００２２】
[0028]キャパシタ３３６の第１の端子が、インダクタ３３０の第１の端子に結合される場合があり、キャパシタ３３８の第１の端子が、インダクタ３３０の第２の端子に結合される場合がある。キャパシタ３３６の第２の端子が、トランジスタ３４０のドレインに結合される場合があり、キャパシタ３３８の第２の端子が、トランジスタ３４２のドレインに結合される場合がある。例示的な実施形態では、各キャパシタ３３６、３３８は調整可能キャパシタバンクを表す。たとえば、各キャパシタ３３６、３３８は、並列に結合される複数のキャパシタブランチを表す場合がある。各キャパシタブランチは、キャパシタと直列に結合されるスイッチ（たとえば、トランジスタ）を含む場合がある。調整可能キャパシタバンク３３６、３３８のキャパシタンスを高めるために、制御信号（図２の制御回路２８４から）が、対応するキャパシタブランチを「オンに切り替える」ためのスイッチを起動する場合がある。別の例示的な実施形態では、キャパシタ３３６、３３８は単一のキャパシタである場合がある。
【００２３】
[0029]例示的な実施形態では、トランジスタ３４０、３４２はＮＭＯＳトランジスタである。トランジスタ３４０のソースおよびトランジスタ３４２のソースがグラウンドに結合される。トランジスタ３４０のゲートおよびトランジスタ３４２のゲートが、第２のイネーブル信号（Ｓｅｃｏｎｄ＿ＥＮ）を受信するように結合される場合がある。
【００２４】
[0030]動作中に、トランジスタ３１０が動作状態にされるときに第１の差動入力信号（ＩＮ＋）が第１のパスに沿って伝搬するように、第１の差動入力信号（ＩＮ＋）がトランジスタ３０６に与えられる場合があり、トランジスタ３１２が動作状態にされるときに第２の差動入力信号（ＩＮ−）が第２のパスに沿って伝搬するように、第２の差動入力信号（ＩＮ−）がトランジスタ３０８に与える場合がある。第１のパスは、キャパシタ３１４と、インダクタ３２２と、キャパシタ３２６と、インダクタ３３０と、キャパシタ３３６とを含む。第２のパスは、キャパシタ３１６と、インダクタ３２２と、キャパシタ３２８と、インダクタ３３０と、キャパシタ３３８とを含む。
【００２５】
[0031]第１の周波数帯域（たとえば、２．４ＧＨｚ周波数帯域）において動作するために、送信イネーブル信号（ＴＸ＿ＥＮ）がトランジスタ３１８（たとえば、グラウンド短絡トランジスタ（shunt-to ground transistor））を起動する場合があり、第１のイネーブル信号（Ｆｉｒｓｔ＿ＥＮ）が、トランジスタ３３４（たとえば、グラウンド短絡トランジスタ）を起動する場合がある。たとえば、送信イネーブル信号（ＴＸ＿ＥＮ）が、論理ハイ電圧レベルにあり、トランジスタ３１８が導通できるようにする場合がある。さらに、第１のイネーブル信号（Ｆｉｒｓｔ＿ＥＮ）が、論理ハイ電圧レベルにあり、トランジスタ３３４が導通できるようにする場合がある。したがって、キャパシタ３１４はグラウンドに短絡される場合があり、さらなる電流がキャパシタ３２６を充電する場合があり、さらなる電流がインダクタ３３０を通って伝搬する場合がある（たとえば、インダクタ３３０はトランジスタ３３４を介してグラウンドに結合される場合がある）。第１の差動入力信号（ＩＮ＋）に基づく電流が、キャパシタ３１４を充電し、キャパシタ３２６を充電し、インダクタ３２２を通って流れ、インダクタ３３０を通って流れる場合があり、それにより、差動増幅器３０２の出力が相対的に高いキャパシタンス（たとえば、キャパシタ３１４のキャパシタンスおよびキャパシタ３２６のキャパシタンス）を受けるようになる。差動増幅器３０２への出力が相対的に高いキャパシタンスを受けることによって、電力増幅器３００は、第１の周波数帯域内で動作する場合がある。
【００２６】
[0032]同様にして、送信イネーブル信号（ＴＸ＿ＥＮ）がトランジスタ３２０（たとえば、グラウンド短絡トランジスタ）を起動する場合があり、第１のイネーブル信号（Ｆｉｒｓｔ＿ＥＮ）がトランジスタ３３２（たとえば、グラウンド短絡トランジスタ）を起動する場合がある。したがって、キャパシタ３１６はグラウンドに短絡される場合があり、さらなる電流がキャパシタ３２８を充電する場合があり、さらなる電流がインダクタ３３０を通って伝搬する場合がある（たとえば、インダクタはトランジスタ３３２を介してグラウンドに結合される場合がある）。第２の差動入力信号（ＩＮ−）に基づく電流が、キャパシタ３１６を充電し、キャパシタ３２８を充電し、インダクタ３２２を通って流れ、インダクタ３３０を通って流れる場合があり、それにより、差動増幅器３０２の出力が相対的に高いキャパシタンス（たとえば、キャパシタ３１６のキャパシタンスおよびキャパシタ３２８のキャパシタンス）を受けるようになる。差動増幅器３０２の出力が相対的に高いキャパシタンスを受けることによって、電力増幅器３００は、第１の周波数帯域内で動作する場合がある。
【００２７】
[0033]第２の周波数帯域（たとえば、５．６ＧＨｚ周波数帯域）において動作するために、送信イネーブル信号（ＴＸ＿ＥＮ）がトランジスタ３１８を起動する場合があり、キャパシタ３１４がグラウンドに短絡される場合がある。さらに、キャパシタ３２６が「浮遊」キャパシタになるように、インダクタ３３０をグラウンドから切り離すために、第１のイネーブル信号（Ｆｉｒｓｔ＿ＥＮ）がトランジスタ３３４を停止状態にする場合がある。たとえば、第１のイネーブル信号（Ｆｉｒｓｔ＿ＥＮ）は論理ロー電圧レベルを有する場合があり、トランジスタ３３４の導通を停止状態にする（たとえば、オフに切り替える）場合がある。したがって、第１の差動入力信号（ＩＮ＋）に基づく電流は、キャパシタ３１４を充電し、インダクタ３２２を通って流れる場合があり、差動増幅器３０２の出力が低減されたキャパシタンス（たとえば、キャパシタ３１４およびキャパシタ３２６に基づくキャパシタンスとは対照的に、キャパシタ３１４に基づくキャパシタンス）を受けるようになる。差動増幅器３０２の出力が低減されたキャパシタンスを受けることによって、電力増幅器３００は、第２の周波数帯域内で動作する場合がある。
【００２８】
[0034]同じように、送信イネーブル信号（ＴＸ＿ＥＮ）がトランジスタ３２０を起動する場合があり、キャパシタ３１６がグラウンドに短絡される場合がある。さらに、キャパシタ３２８が「浮遊」キャパシタになるように、インダクタ３３０をグラウンドから切り離すために、第１のイネーブル信号（Ｆｉｒｓｔ＿ＥＮ）がトランジスタ３３２を停止状態にする場合がある。第２の差動入力信号（ＩＮ−）に基づく電流が、キャパシタ３１６を充電し、インダクタ３２２を通って流れる場合があり、それにより、差動増幅器３０２の出力が低減されたキャパシタンス（たとえば、キャパシタ３１６およびキャパシタ３２８に基づくキャパシタンスとは対照的に、キャパシタ３１６に基づくキャパシタンス）を受けるようになる。差動増幅器３０２の出力が低減されたキャパシタンスを受けることによって、電力増幅器３００は、第２の周波数帯域内で動作する場合がある。
【００２９】
[0035]例示的な実施形態では、電力増幅器３００は、第１の周波数帯域および第２の周波数帯域において同時に動作する場合がある。たとえば、差動増幅器３０２の出力がキャパシタ３３６、３３８のキャパシタンスをさらに受けるように、第２のイネーブル信号（Ｓｅｃｏｎｄ＿ＥＮ）がトランジスタ３４０、３４２を動作状態にする場合がある。増加したキャパシタンスによって、ザコーズ電力増幅器３００は、第２の周波数帯域内で動作することに加えて、第１の周波数帯域（たとえば、２．４ＧＨｚ周波数帯域）内で動作する場合がある。たとえば、増加したキャパシタンスによって、差動増幅器３０２の出力に結合される誘導性素子および容量性素子が、約２．４ＧＨｚおよび約５．６ＧＨｚにおいて共振する場合がある。
【００３０】
[0036]図３の電力増幅器３００は、１つまたは複数の周波数帯域内で動作する（たとえば、１つまたは複数の周波数帯域を介して送信する）ために単一の差動増幅器３０２（複数のトランジスタコアとは対照的）を利用することによって、ダイ面積を削減し、経費節約を促進する場合がある。変圧器３０４（たとえば、出力バラン）の一次コイル（たとえば、インダクタ３２２）に１つのキャパシタ−インダクタ−キャパシタ（ＣＬＣ）回路網が結合される場合がある。たとえば、ＣＬＣ回路網（たとえば、キャパシタ３２６、インダクタ３３０およびキャパシタ３２８）が、インダクタ３２２に結合され、第１の周波数帯域内で動作するように構成される場合がある。さらに、ＣＬＣ回路網は、第２の周波数帯域内で動作するように電力増幅器３００を構成するために、インダクタ３２２から切り離される場合がある。電力増幅器３００を第１の周波数帯域（たとえば、２．４ＧＨｚ）および／または第２の周波数帯域（たとえば、５．６ＧＨｚ）内で動作させることは、電気電子技術者協会（ＩＥＥＥ）８０２．１１標準規格のような、ワイヤレス通信標準規格に基づく通信を容易にする場合があることも理解されよう。たとえば、電力増幅器３００は、ＩＥＥＥ８０２．１１ａプロトコル、ＩＥＥＥ８０２．１１ｂプロトコル、ＩＥＥＥ８０２．１１ｇプロトコル、ＩＥＥＥ８０２．１１ｎプロトコルおよび／またはＩＥＥＥ８０２．１１ａｃプロトコルに基づく通信を容易にする場合がある。
【００３１】
[0037]図４を参照すると、単一のトランジスタコアを含む、差動増幅器４０２を有するトライバンド電力増幅器４００の図が示される。例示的な実施形態では、電力増幅器４００は、図２の電力増幅器２５４ｐａ〜２５４ｐｋ、２５４ｓａ〜２５４ｓｌのうちの１つまたは複数に対応する場合があるか、またはその中に含まれる場合がある。電力増幅器４００は、第１の周波数帯域、第２の周波数帯域、または第３の周波数帯域において選択的に動作するように、制御回路（たとえば、制御回路２８４）から、制御信号（たとえば、送信イネーブル信号（ＴＸ＿ＥＮ）、第１のイネーブル信号（Ｆｉｒｓｔ＿ＥＮ）、第２のイネーブル信号（Ｓｅｃｏｎｄ＿ＥＮ）および第３のイネーブル信号（Ｔｈｉｒｄ＿ＥＮ））を受信する場合がある。例示的な実施形態では、電力増幅器４００は、広帯域周波数範囲内で調整可能な場合がある。たとえば、電力増幅器４００は、少なくとも２５６キロビット／秒の通信帯域幅を有する広い周波数スペクトル（たとえば、広範な周波数範囲）内で動作するように調整される場合がある。
【００３２】
[0038]電力増幅器４００は、差動増幅器４０２（たとえば、トランジスタコア）と、変圧器４０４（たとえば、出力バラン）とを含む場合がある。差動増幅器４０２は、トランジスタ４０６と、トランジスタ４０８と、トランジスタ４１０と、トランジスタ４１２とを含む場合がある。例示的な実施形態では、差動増幅器４０２のトランジスタ４０６〜４１２は、ＮＭＯＳトランジスタである場合がある。トランジスタ４０６およびトランジスタ４０８は差動トランジスタ対を形成する。トランジスタ４０６のソースおよびトランジスタ４０８のソースがグラウンドに結合される場合がある。トランジスタ４０６のゲートおよびトランジスタ４０８のゲートが、差動入力信号（ＩＮ＋、ＩＮ−）を受信するように結合される場合がある。例示するために、トランジスタ４０６のゲートおよびトランジスタ４０８のゲートが、対応するドライバ増幅器２９０ｐａ、２９０ｐｋ、２９０ｓａ、２９０ｓｌから、図２の増幅された送信信号２９４ｐａ、２９４ｐｋ、２９４ｓａ、２９４ｓｌのうちの１つを受信するように結合される場合がある。トランジスタ４０６のドレインは、トランジスタ４１０のソースに結合される場合があり、トランジスタ４０８のドレインは、トランジスタ４１２のソースに結合される場合がある。
【００３３】
[0039]差動増幅器４０２は、変圧器４０４に結合される場合がある。変圧器４０４はインダクタ４２２を含む場合があり、インダクタ４２２は、インダクタ４２４に電磁結合される。トランジスタ４１０のドレインが、インダクタ４２２の第１の端子に結合される場合があり、トランジスタ４１２のドレインが、インダクタ４２２の第２の端子に結合される場合がある。変圧器４０４は、インダクタ４２２（たとえば、一次巻線）からインダクタ４２４（たとえば、二次巻線）にエネルギーを伝達し、インダクタ４２４において電力増幅器４００の出力を生成する場合がある。たとえば、電力増幅器４００の出力は、磁界と、一次巻線と二次巻線との間の相互誘導とに基づいて、インダクタ４２４を通って伝搬する出力信号２９６ｐａである場合がある。例示的な実施形態では、電力増幅器４００の出力は、アンテナインターフェース回路（たとえば、図２のアンテナインターフェース回路２２４または図２のアンテナインターフェース回路２２６）に与えられる場合がある。
【００３４】
[0040]キャパシタ４１４の第１の端子が、トランジスタ４１０のドレインに結合される場合があり、キャパシタ４１４の第２の端子が、トランジスタ４１８のドレインに結合される場合がある。同じようにして、キャパシタ４１６の第１の端子が、トランジスタ４１２のドレインに結合される場合があり、キャパシタ４１６の第２の端子が、トランジスタ４２０のドレインに結合される場合がある。例示的な実施形態では、トランジスタ４１８、４２０はＮＭＯＳトランジスタである。トランジスタ４１８のソースおよびトランジスタ４２０のソースがグラウンドに結合される場合がある。トランジスタ４１８のゲートおよびトランジスタ４２０のゲートが、送信イネーブル信号（ＴＸ＿ＥＮ）を受信するように結合される場合がある。
【００３５】
[0041]キャパシタ４２６の第１の端子が、トランジスタ４１０のドレインに結合される場合があり、キャパシタ４２６の第２の端子が、インダクタ４３０の第１の端子に結合される場合がある。キャパシタ４２８の第１の端子が、トランジスタ４１２のドレインに結合される場合があり、キャパシタ４２８の第２の端子が、インダクタ４３０の第２の端子に結合される場合がある。インダクタ４３０の第１の端子が、トランジスタ４３２のドレインに結合される場合があり、インダクタ４３０の第２の端子が、トランジスタ４３４のドレインに結合される場合がある。例示的な実施形態では、トランジスタ４３２、４３４はＮＭＯＳトランジスタである。トランジスタ４３２のソースおよびトランジスタ４３４のソースがグラウンドに結合される。トランジスタ４３２のゲートおよびトランジスタ４３４のゲートが、第１のイネーブル信号（Ｆｉｒｓｔ＿ＥＮ）を受信するように結合される場合がある。
【００３６】
[0042]キャパシタ４３６の第１の端子が、インダクタ４３０の第１の端子に結合される場合があり、キャパシタ４３８の第１の端子が、インダクタ４３０の第２の端子に結合される場合がある。キャパシタ４３６の第２の端子が、トランジスタ４４０のドレインに結合される場合があり、キャパシタ４３８の第２の端子が、トランジスタ４４２のドレインに結合される場合がある。例示的な実施形態では、各キャパシタ４３６、４３８は調整可能キャパシタバンクを表す。たとえば、各キャパシタ４３６、４３８は、並列に結合される複数のキャパシタブランチを含むことができる。各キャパシタブランチは、キャパシタと直列に結合されるスイッチ（たとえば、トランジスタ）を含む場合がある。キャパシタ４３６、４３８のキャパシタンスを高めるために、制御信号（図２の制御回路２８４から）が、対応するキャパシタブランチを「オンに切り替える」ためのスイッチを起動する場合がある。別の例示的な実施形態では、キャパシタ４３６、４３８は単一のキャパシタとすることができる。
【００３７】
[0043]例示的な実施形態では、トランジスタ４４０、４４２はＮＭＯＳトランジスタである。トランジスタ４４０のソースおよびトランジスタ４４２のソースがグラウンドに結合される。トランジスタ４４０のゲートおよびトランジスタ４４２のゲートが、第２のイネーブル信号（Ｓｅｃｏｎｄ＿ＥＮ）を受信するように結合される場合がある。
【００３８】
[0044]キャパシタ４４４の第１の端子が、トランジスタ４１０のドレインに結合される場合があり、キャパシタ４４４の第２の端子が、インダクタ４４８の第１の端子に結合される場合がある。キャパシタ４４６の第１の端子が、トランジスタ４１２のドレインに結合される場合があり、キャパシタ４４６の第２の端子が、インダクタ４４８の第２の端子に結合される場合がある。インダクタ４４８の第１の端子が、トランジスタ４５０のドレインに結合される場合があり、インダクタ４４８の第２の端子が、トランジスタ４５２のドレインに結合される場合がある。例示的な実施形態では、トランジスタ４５０、４５２はＮＭＯＳトランジスタである。トランジスタ４５０のソースおよびトランジスタ４５２のソースがグラウンドに結合される。トランジスタ４５０のゲートおよびトランジスタ４５２のゲートが、第３のイネーブル信号（Ｔｈｉｒｄ＿ＥＮ）を受信するように結合される場合がある。
【００３９】
[0045]動作中に、トランジスタ４１０が動作状態にされるときに第１の差動入力信号（ＩＮ＋）が第１のパスに沿って伝搬するように、第１の差動入力信号（ＩＮ＋）がトランジスタ４０６に与える場合があり、トランジスタ４１２が動作状態にされるときに第２の差動入力信号（ＩＮ−）が第２のパスに沿って伝搬するように、第２の差動入力信号（ＩＮ−）がトランジスタ４０８に与える場合がある。第１のパスは、キャパシタ４１４と、インダクタ４２２と、キャパシ４２６と、インダクタ４３０と、キャパシタ４３６と、キャパシタ４４４と、インダクタ４４８とを含む。第２のパスは、キャパシタ４１６と、インダクタ４２２と、キャパシタ４２８と、インダクタ４３０と、キャパシタ４３８と、キャパシタ４４６、インダクタ４４８とを含む。
【００４０】
[0046]第１の周波数帯域（たとえば、２．４ＧＨｚ周波数帯域）において動作するために、送信イネーブル信号（ＴＸ＿ＥＮ）がトランジスタ４１８（たとえば、グラウンド短絡トランジスタ）を起動する場合があり、第１のイネーブル信号（Ｆｉｒｓｔ＿ＥＮ）がトランジスタ４３４（たとえば、グラウンド短絡トランジスタ）を起動する場合があり、第３のイネーブル信号（Ｔｈｉｒｄ＿ＥＮ）がトランジスタ４５２（たとえば、グラウンド短絡トランジスタ）を動作停止にする場合がある。たとえば、送信イネーブル信号（ＴＸ＿ＥＮ）が、論理ハイ電圧レベルにあり、トランジスタ４１８が導通できるようにする場合があり、第１のイネーブル信号（Ｆｉｒｓｔ＿ＥＮ）が、論理ハイ電圧レベルにあり、トランジスタ４３４が導通できるようにする場合があり、第３のイネーブル信号（Ｔｈｉｒｄ＿ＥＮ）が、論理ロー電圧レベルにあり、トランジスタ４５２が導通できないようにする場合がある。したがって、キャパシタ４１４はグラウンドに短絡される場合があり、さらなる電流がキャパシタ４２６を充電する場合があり、さらなる電流がインダクタ４３０を通って伝搬する場合があり（たとえば、インダクタ４３０はトランジスタ４３４を介してグラウンドに結合される場合がある）、キャパシタ４４４は、グラウンドから切り離され、「浮遊」キャパシタとして動作する場合がある。第１の差動入力信号（ＩＮ＋）に基づく電流が、キャパシタ４１４を充電し、キャパシタ４２６を充電し、インダクタ４２２を通って流れ、インダクタ４３０を通って流れる場合があり、それにより、差動増幅器４０２の出力が相対的に高いキャパシタンス（たとえば、キャパシタ４１４のキャパシタンスおよびキャパシタ４２６のキャパシタンス）を受けるようになる。差動増幅器４０２への出力が相対的に高いキャパシタンスを受けることによって、電力増幅器４００は、第１の周波数帯域内で動作する場合がある。
【００４１】
[0047]同様にして、送信イネーブル信号（ＴＸ＿ＥＮ）がトランジスタ４２０（たとえば、グラウンド短絡トランジスタ）を起動する場合があり、第１のイネーブル信号（Ｆｉｒｓｔ＿ＥＮ）がトランジスタ４３２（たとえば、グラウンド短絡トランジスタ）を起動する場合があり、第３のイネーブル信号（Ｔｈｉｒｄ＿ＥＮ）が、トランジスタ４５０を動作停止にする場合がある。したがって、キャパシタ４１６はグラウンドに短絡される場合があり、さらなる電流がキャパシタ４２８を充電する場合があり、さらなる電流がインダクタ４３０を通って伝搬する場合があり（たとえば、インダクタ４３０はトランジスタ４３２を介してグラウンドに結合される場合がある）、キャパシタ４４６は、グラウンドから切り離され、「浮遊」キャパシタとして動作する場合がある。第２の差動入力信号（ＩＮ−）に基づく電流が、キャパシタ４１６を充電し、キャパシタ４２８を充電し、インダクタ４２２を通って流れ、インダクタ４３０を通って流れる場合があり、それにより、差動増幅器４０２の出力が相対的に高いキャパシタンス（たとえば、キャパシタ４１６のキャパシタンスおよびキャパシタ４２８のキャパシタンス）を受けるようになる。差動増幅器４０２の出力が相対的に高いキャパシタンスを受けることによって、電力増幅器４００は、第１の周波数帯域内で動作する場合がある。
【００４２】
[0048]第２の周波数帯域（たとえば、５．６ＧＨｚ周波数帯域）において動作するために、送信イネーブル信号（ＴＸ＿ＥＮ）がトランジスタ４１８を起動する場合があり、キャパシタ４１４がグラウンドに短絡される場合がある。さらに、キャパシタ４２６が「浮遊」キャパシタになるように、インダクタ４３０をグラウンドから切り離すために、第１のイネーブル信号（Ｆｉｒｓｔ＿ＥＮ）がトランジスタ４３４を停止状態にする場合があり、キャパシタ４４４が「浮遊」キャパシタになるように、インダクタ４４８を切り離すために、第３のイネーブル信号（Ｔｈｉｒｄ＿ＥＮ）が、トランジスタ４５２を停止状態にする場合がある。第１の差動入力信号（ＩＮ＋）に基づく電流がキャパシタ４１４を充電し、インダクタ４２２を通って流れる場合があり、それにより、差動増幅器４０２の出力が低減されたキャパシタンス（たとえば、キャパシタ４１４およびキャパシタ４２６に基づくキャパシタンスとは対照的に、キャパシタ４１４に基づくキャパシタンス）を受けるようになる。差動増幅器４０２の出力が低減されたキャパシタンスを受けることによって、電力増幅器４００は、第２の周波数帯域内で動作する場合がある。
【００４３】
[0049]同様にして、送信イネーブル信号（ＴＸ＿ＥＮ）がトランジスタ４２０を起動する場合があり、キャパシタ４１６がグラウンドに短絡される場合がある。さらに、キャパシタ４２８が「浮遊」キャパシタになるように、インダクタ４３０をグラウンドから切り離すために、第１のイネーブル信号（Ｆｉｒｓｔ＿ＥＮ）がトランジスタ４３２を停止状態する場合があり、キャパシタ４４６が「浮遊」キャパシタになるように、インダクタ４４８を切り離すために、第３のイネーブル信号（Ｔｈｉｒｄ＿ＥＮ）がトランジスタ４５０を停止状態にする場合がある。第２の差動入力信号（ＩＮ−）に基づく電流が、キャパシタ４１６を充電し、インダクタ４２２を通って流れる場合があり、それにより、差動増幅器４０２の出力が低減されたキャパシタンス（たとえば、キャパシタ４１６およびキャパシタ４２８に基づくキャパシタンスとは対照的に、キャパシタ４１６に基づくキャパシタンス）を受けるようになる。差動増幅器４０２の出力が低減されたキャパシタンスを受けることによって、電力増幅器４００は、第２の周波数帯域内で動作する場合がある。
【００４４】
[0050]例示的な実施形態では、電力増幅器４００は、第１の周波数帯域および第２の周波数帯域において同時に動作する場合がある。たとえば、差動増幅器３０２の出力がキャパシタ４３６、４３８のキャパシタンスをさらに受けるように、第２のイネーブル信号（Ｓｅｃｏｎｄ＿ＥＮ）がトランジスタ４４０、４４２を動作状態にする場合がある。増加したキャパシタンスによって、電力増幅器は、第２の周波数帯域内で動作することに加えて、第１の周波数帯域（たとえば、２．４ＧＨｚ周波数帯域）内で動作する場合がある。たとえば、増加したキャパシタンスによって、差動増幅器３０２の出力に結合される誘導性素子および容量性素子が、約２．４ＧＨｚおよび約５．６ＧＨｚにおいて共振する場合がある。
【００４５】
[0051]第３の周波数帯域（たとえば、８００メガヘルツ（ＭＨｚ）周波数帯域）において動作するために、送信イネーブル信号（ＴＸ＿ＥＮ）がトランジスタ４１８を起動する場合があり、第１のイネーブル信号（Ｆｉｒｓｔ＿ＥＮ）がトランジスタ４３４を動作停止にする場合があり、第３のイネーブル信号（Ｔｈｉｒｄ＿ＥＮ）がトランジスタ４５２を起動する場合がある。キャパシタ４１４はグラウンドに短絡される場合があり、キャパシタ４２６は「浮遊」キャパシタとして動作する場合があり、さらなる電流がキャパシタ４４４を充電する場合があり、さらなる電流がインダクタ４４８を通って伝搬する場合がある（たとえば、インダクタ４４８はトランジスタ４５２を介してグラウンドに結合される場合がある）。例示的な実施形態では、キャパシタ４２６が「アクティブ」であるとき（たとえば、第１の周波数帯域）より、キャパシタ４４４が「アクティブ」であるときに、差動増幅器４０２がより大きいキャパシタンスを受けるように、キャパシタ４４４のキャパシタンスは、キャパシタ４２６のキャパシタンスより大きい場合がある。非限定的な例として、キャパシタ４４４は５ピコファラッド（ｐＦ）キャパシタとすることができ、キャパシタ４２６は、２．５ｐＦキャパシタとすることができる。差動増幅器４０２の出力が増加したキャパシタンスを受けることによって、電力増幅器４００は、第３の周波数帯域内で動作する場合がある。
【００４６】
[0052]同様にして、送信イネーブル信号（ＴＸ＿ＥＮ）がトランジスタ４２０を起動する場合があり、第１のイネーブル信号（Ｆｉｒｓｔ＿ＥＮ）がトランジスタ４３２を動作停止にする場合があり、第３のイネーブル信号（Ｔｈｉｒｄ＿ＥＮ）がトランジスタ４５０を起動する場合がある。キャパシタ４１６はグラウンドに短絡される場合があり、キャパシタ４２８は「浮遊」キャパシタとして動作する場合があり、さらなる電流がキャパシタ４４６を充電する場合があり、さらなる電流がインダクタ４４８を通って伝搬する場合がある（たとえば、インダクタ４４８はトランジスタ４５０を介してグラウンドに結合される場合がある）。例示的な実施形態では、キャパシタ４２８が「アクティブ」であるとき（たとえば、第１の周波数帯域）より、キャパシタ４４６が「アクティブ」であるときに、差動増幅器４０２がより大きいキャパシタンスを受けるように、キャパシタ４４６のキャパシタンスは、キャパシタ４２８のキャパシタンスより大きい場合がある。差動増幅器４０２の出力が増加したキャパシタンスを受けることによって、電力増幅器４００は、第３の周波数帯域内で動作する場合がある。
【００４７】
[0053]図４の電力増幅器４００は、１つまたは複数の周波数帯域内で動作するために単一の差動増幅器４０２（複数のトランジスタコアとは対照的）を利用することによって、ダイ面積を削減し、経費節約を促進する場合がある。出力バランの一次コイル（たとえば、インダクタ４２２）に２つのＣＬＣ回路網が結合される場合がある。たとえば、第１のＣＬＣ回路網（たとえば、キャパシタ４２６、インダクタ４３０およびキャパシタ４２８）がインダクタ４２２に結合される場合があり、第２のＣＬＣ回路網（たとえば、キャパシタ４４４、インダクタ４４８およびキャパシタ４４６）がインダクタ４２２に結合される場合がある。第３の周波数帯域（たとえば、８００ＭＨｚ）において電力増幅器４００を動作させることは、ＩＥＥＥ８０２．１１ａｈプロトコルに基づく通信を容易にする場合があることも理解されよう。
【００４８】
[0054]図５を参照すると、単一のトランジスタコアを含む、差動増幅器５０２を有するマルチバンドドライバ増幅器５００の例示的な実施形態が示される。例示的な実施形態では、電力増幅器５００は、図２の電力増幅器２９０ｐａ、２９０ｐｋ、２９０ｓａ、２９０ｓｌのうちの１つまたは複数に対応する場合があるか、またはその中に含まれる場合がある。ドライバ増幅器５００は、第１の周波数帯域、第２の周波数帯域またはその任意の組合せにおいて選択的に動作するために、制御回路（たとえば、制御回路２８４）から制御信号を受信する場合がある。
【００４９】
[0055]ドライバ増幅器５００は、インダクタ−キャパシタ（ＬＣ）タンク５０１と、差動増幅器５０２（たとえば、トランジスタコア）とを含む。差動増幅器５０２は、トランジスタ５０４と、トランジスタ５０６と、トランジスタ５０８と、トランジスタ５１０とを含むことができる。例示的な実施形態では、差動増幅器５０２のトランジスタ５０４〜５１０は、ＮＭＯＳトランジスタとすることができる。トランジスタ５０４のソースおよびトランジスタ５０６のソースがグラウンドに結合される場合がある。トランジスタ５０４のゲートおよびトランジスタ５０６のゲートが、差動入力信号（ＩＮ＋、ＩＮ−）を受信するように結合される場合がある。例示するために、トランジスタ５０４のゲートおよびトランジスタ５０６のゲートが、図２のデータプロセッサ／コントローラ２８０から、送信信号を受信するように結合される場合がある。トランジスタ５０４のドレインが、トランジスタ５０８のソースに結合される場合があり、トランジスタ５０６のドレインが、トランジスタ５１０のソースに結合される場合がある。
【００５０】
[0056]トランジスタ５０８のドレインが、調整可能キャパシタバンク５１２の第１の端子に結合される場合があり、トランジスタ５１０のドレインが、調整可能キャパシタバンク５１２の第２の端子に結合される場合がある。調整可能キャパシタバンク５１２が、インダクタ５１４と並列に結合される場合がある。たとえば、調整可能キャパシタバンク５１２の第１の端子がインダクタ５１４の第１の端子に結合される場合があり、調整可能キャパシタバンク５１２の第２の端子がインダクタ５１４の第２の端子に結合される場合がある。
【００５１】
[0057]ＬＣタンク５０１の構成要素（たとえば、ＣＬＣ回路網構成要素）が、ドライバ増幅器５００が単一の周波数帯域において動作する場合があるか、または複数の周波数帯域において同時に動作する場合があるように、差動増幅器５０２の出力に選択的に結合される場合がある。たとえば、ＣＬＣ回路網構成要素は、キャパシタ５２０と、キャパシタ５２２と、インダクタ５２４とを含む。例示的な実施形態では、キャパシタ５２０およびキャパシタ５２２は、調整可能キャパシタ（たとえば、調整可能キャパシタバンク）とである場合がある。キャパシタ５２０の第１の端子がインダクタ５１４の第１の端子に結合される場合があり、キャパシタ５２０の第２の端子がインダクタ５２４の第１の端子に結合される場合がある。キャパシタ５２２の第１の端子がインダクタ５１４の第２の端子に結合される場合があり、キャパシタ５２２の第２の端子が、インダクタ５２４の第２の端子に結合される場合がある。スイッチ５１６がキャパシタ５２０と並列に（たとえば、真向いに）結合される場合があり、スイッチ５１８がキャパシタ５２２と並列に（たとえば、真向いに）結合される場合があり、スイッチ５２６がインダクタ５２４と並列に（たとえば、真向いに）結合される場合がある。
【００５２】
[0058]動作中に、ドライバ増幅器５００は、第１の周波数帯域（たとえば、２ＧＨｚ周波数帯域）内で動作する場合があるか、第２の周波数帯域（たとえば、５ＧＨｚ周波数帯域）内で動作する場合があるか、または第１の周波数帯域および第２の周波数帯域において同時に動作する場合がある。第１の周波数帯域において動作するために、スイッチ５２６を閉じ、スイッチ５１６を開き、スイッチ５１８を開くように（制御回路２８４から）制御信号が与えられる場合がある。したがって、第１の周波数帯域において動作しているとき、電流がキャパシタ５２０、５２２を充電することができ、電流が、インダクタ５２４を通って伝搬するのではなく、スイッチ５２６を介して短絡される場合がある。
【００５３】
[0059]第２の周波数帯域において動作するために、スイッチ５１６を閉じ、スイッチ５１８を閉じ、スイッチ５２６を開くように制御信号が与えられる場合がある。したがって、第２の周波数帯域において動作しているとき、電流が、キャパシタ５２０、５２２を充電するのではなく、スイッチ５１６、５１８を介して短絡される場合があり、電流がインダクタ５２４を通って伝搬する場合がある。第１の周波数帯域および第２の周波数帯域において同時に動作するために、各スイッチ５１６、５１８、５２６を開くように制御信号が与えられる場合がある。したがって、第１の周波数帯域および第２の周波数帯域において同時に動作するとき、電流がキャパシタ５２０、５２２を充電する場合があり、インダクタ５２４を通って伝搬する場合がある。
【００５４】
[0060]図５の電力増幅器５００は、１つまたは複数の周波数帯域内で動作するために単一の差動増幅器５０２（複数のトランジスタコアとは対照的）を利用することによって、ダイ面積を削減し、経費節約を促進する場合がある。また、第１の周波数帯域、第２の周波数帯域またはその組合せにおいてドライバ増幅器５００を動作させることは、図３に関して説明されたように、ワイヤレス通信標準規格に基づく通信を容易にする場合があることも理解されよう。
【００５５】
[0061]図６を参照すると、単一のトランジスタコアを含む、差動増幅器６０２を有するマルチバンドドライバ増幅器６００の別の例示的な実施形態が示される。例示的な実施形態では、ドライバ増幅器６００は、図２のドライバ増幅器２９０ｐａ、２９０ｐｋ、２９０ｓａ、２９０ｓｌのうちの１つまたは複数に対応する場合があるか、またはその中に含まれる場合がある。ドライバ増幅器６００は、第１の周波数帯域、第２の周波数帯域またはその任意の組合せにおいて選択的に動作するために、制御回路（たとえば、制御回路２８４）から制御信号を受信する場合がある。
【００５６】
[0062]ドライバ増幅器６００は、インダクタ−キャパシタ（ＬＣ）タンク６０１と、差動増幅器６０２（たとえば、トランジスタコア）とを含む。差動増幅器６０２は、トランジスタ６０４と、トランジスタ６０６と、トランジスタ６０８と、トランジスタ６１０とを含む場合がある。例示的な実施形態では、差動増幅器６０２のトランジスタ６０４〜６１０は、ＮＭＯＳトランジスタとする場合がある。トランジスタ６０４のソースおよびトランジスタ６０６のソースがグラウンドに結合される場合がある。トランジスタ６０４のゲートおよびトランジスタ６０６のゲートが、差動入力信号（ＩＮ＋、ＩＮ−）を受信するように結合される場合がある。例示するために、トランジスタ６０４のゲートおよびトランジスタ６０６のゲートが、図２のデータプロセッサ／コントローラ２８０から、送信信号を受信するように結合される場合がある。トランジスタ６０４のドレインは、トランジスタ６０８のソースに結合される場合があり、トランジスタ６０６のドレインは、トランジスタ６１０のソースに結合される場合がある。
【００５７】
[0063]トランジスタ６０８のドレインが、調整可能キャパシタバンク６１２の第１の端子に結合される場合があり、トランジスタ６１０のドレインが、調整可能キャパシタバンク６１２の第２の端子に結合される場合がある。調整可能キャパシタバンク６１２は、インダクタ６１４と並列に結合される場合がある。たとえば、調整可能キャパシタバンク６１２の第１の端子がインダクタ６１４の第１の端子に結合される場合があり、調整可能キャパシタバンク６１２の第２の端子がインダクタ６１４の第２の端子に結合される場合がある。
【００５８】
[0064]ＬＣタンク６０１の構成要素（たとえば、ＣＬＣ回路網構成要素）が、ドライバ増幅器６００が複数の周波数帯域において動作する場合があるように、差動増幅器６０２の出力に選択的に結合される場合がある。たとえば、ＣＬＣ回路網構成要素は、キャパシタ６２０と、キャパシタ６２２と、インダクタ６２４とを含む。例示的な実施形態では、キャパシタ６２０およびキャパシタ６２２は、調整可能キャパシタ（たとえば、調整可能キャパシタバンク）である場合がある。キャパシタ６２０の第１の端子がインダクタ６１４の第１の端子に結合される場合があり、キャパシタ６２０の第２の端子が、スイッチ６３０を介して、インダクタ６２４の第１の端子に選択的に結合される場合がある。キャパシタ６２２の第１の端子がインダクタ６１４の第２の端子に結合される場合があり、キャパシタ６２２の第２の端子が、スイッチ６３２を介して、インダクタ６２４の第２の端子に選択的に結合される場合がある。スイッチ６１６がキャパシタ６２０と並列に（たとえば、真向いに）結合される場合があり、スイッチ６１８がキャパシタ６２２と並列に（たとえば、真向いに）結合される場合がある。インダクタ６１４の第１の端子が、スイッチ６２６を介して、インダクタ６２４の第２の端子に選択的に結合される場合があり、インダクタ６１４の第２の端子が、スイッチ６２８を介して、インダクタ６２４の第１の端子に選択的に結合される場合がある。
【００５９】
[0065]ドライバ増幅器６００は、図５のドライバ増幅器５００と実質的に同様に動作する場合がある。たとえば、動作中に、ドライバ増幅器６００は、第１の周波数帯域（たとえば、２ＧＨｚ周波数帯域）内で動作する場合があるか、第２の周波数帯域（たとえば、５ＧＨｚ周波数帯域）内で動作する場合があるか、または第１の周波数帯域および第２の周波数帯域において同時に動作する場合がある。
【００６０】
[0066]動作中に周波数範囲をシフトするために、スイッチ６１６、６１８、６２６、６２８を用いてドライバ増幅器６００の実効インダクタンスが調整（たとえば、小さくまたは大きく）される場合がある。たとえば、電力増幅器６００の実効インダクタンスを小さくするために、制御信号が、スイッチ６１６を開き、スイッチ６１８を開き、スイッチ６２６を閉じ、スイッチ６２８を閉じる場合がある。代替的には、電力増幅器６００の実効インダクタンスを大きくするために、制御信号が、スイッチ６１６を閉じ、スイッチ６１８を閉じ、スイッチ６２６を開き、スイッチ６２８を開く場合がある。
【００６１】
[0067]図６のドライバ増幅器６００は、１つまたは複数の周波数帯域内で動作するために単一の差動増幅器６０２（複数のトランジスタコアとは対照的）を利用することによって、ダイ面積を削減し、経費節約を促進する場合がある。また、スイッチ６１６、６１８、６２６、６２８を選択的に起動することは、図５のドライバ増幅器５００のインダクタ調整範囲と比較して、ドライバ増幅器６００の誘導調整範囲を拡大する場合があることも理解されよう。
【００６２】
[0068]図７を参照すると、マルチバンド電力増幅器を動作させる方法８００の例示的な実施形態を示す流れ図が示される。例示的な一実施形態では、方法７００は、図１〜図２のワイヤレスデバイス１１０、図３の電力増幅器３００、図４の電力増幅器４００またはその任意の組合せを用いて実行される場合がある。
【００６３】
[0069]方法７００は、７０２において、電力増幅器の差動増幅器において差動入力信号を増幅することを含む。たとえば、図３を参照すると、電力増幅器３００の差動増幅器３０２が、差動入力信号（ＩＮ＋）、（ＩＮ−）を増幅する場合がある。
【００６４】
[0070]７０４において、差動増幅器の第１の出力が、増幅された信号を差動増幅器の第１の出力に結合されるキャパシタに与える場合がある。キャパシタは、インダクタに結合される場合があり、インダクタは第２のキャパシタに結合される場合がある。たとえば、図３を参照すると、増幅された差動信号は、差動増幅器３０２の第１の出力によって、キャパシタ３２６に与えられる場合がある。キャパシタ３２６はインダクタ３３０に結合され、インダクタ３３０はキャパシタ３３６に結合される。
【００６５】
[0071]例示的な実施形態では、方法７００は、電力増幅器を第１の周波数帯域において動作させるために、インダクタに結合される第１のトランジスタを動作状態にすることを含む場合がある。たとえば、図３を参照すると、電力増幅器３００を第１の周波数帯域（たとえば、２．４ＧＨｚ周波数帯域）において動作させるために、トランジスタ３３４が動作状態にされる（たとえば、起動される）場合がある。例示するために、第１のイネーブル信号（Ｆｉｒｓｔ＿ＥＮ）が論理ハイ電圧レベルを有するときに、インダクタ３３０がトランジスタ３３４を介してグラウンドに結合される場合がある。インダクタ３３０をグラウンドに結合することによって、電力増幅器３００が第１の周波数帯域にわたって信号を送信できるようになる場合がある。
【００６６】
[0072]例示的な実施形態では、方法７００は、第１の周波数帯域および第２の周波数帯域において電力増幅器を同時に動作させるために、第２のキャパシタに結合される第２のトランジスタを動作状態にすることを含む場合がある。たとえば、図３を参照すると、電力増幅器３００を第１の周波数帯域および第２の周波数帯域（たとえば、５．６ＧＨｚ周波数帯域）において同時に動作させるために、トランジスタ３４０が動作状態にされる場合がある。例示するために、第２のイネーブル信号（Ｓｅｃｏｎｄ＿ＥＮ）が論理ロー電圧レベルを有するときに、キャパシタ３３６がトランジスタ３４０を介してグラウンドに結合される場合がある。トランジスタ３４０を介してキャパシタ３３６をグラウンドに結合することにより、電力増幅器３００が、第１の周波数帯域および第２の周波数帯域にわたって信号を同時に送信できるようになる場合がある。
【００６７】
[0073]図７の方法７００は、１つまたは複数の周波数帯域内で動作するために単一の差動増幅器３０２（複数のトランジスタコアとは対照的）を利用することによって、ダイ面積を削減し、経費節約を促進する場合がある。出力バランの一次コイル（たとえば、インダクタ３２２）に１つのキャパシタ−インダクタ−キャパシタ（ＣＬＣ）回路網が結合される場合がある。たとえば、ＣＬＣ回路網（たとえば、キャパシタ３２６、インダクタ３３０およびキャパシタ３２８）が、インダクタ３２２に結合され、第１の周波数帯域内で動作するように構成される場合があり、第２の周波数帯域内で動作するようにインダクタ３２２から切り離される場合がある。
【００６８】
[0074]説明される実施形態に関連して、装置は、電荷を蓄積するための第１の手段を含む。たとえば、電荷を蓄積するための第１の手段は、図３のキャパシタ３３６、図４のキャパシタ４３６、１つまたは複数の他のデバイス、回路またはその任意の組合せを含む場合がある。また、装置は、電荷を蓄積するための第１の手段に結合されるインダクタンスを生成するための第１の手段を含む場合がある。たとえば、インダクタンスを生成するための第１の手段は、図３のインダクタ３３０、図４のインダクタ４３０、１つまたは複数の他のデバイス、回路、またはその任意の組合せを含む場合がある。
【００６９】
[0075]また、装置は、インダクタンスを生成するための第１の手段と、差動増幅器の第１の出力とに結合される、電荷を蓄積するための第２の手段も含む場合がある。たとえば、電荷を蓄積するための第２の手段は、図３のキャパシタ３２６、図４のキャパシタ４２６、１つまたは複数の他のデバイス、回路またはその任意の組合せを含む場合がある。
【００７０】
[0076]また、装置は、インダクタンスを生成するための第１の手段に結合される、電荷を蓄積するための第３の手段を含む場合がある。たとえば、電荷を蓄積するための第３の手段は、図３のキャパシタ３３８、図４のキャパシタ４３８、１つまたは複数の他のデバイス、回路またはその任意の組合せを含む場合がある。また、装置は、インダクタンスを生成するための第１の手段と、差動増幅器の第２の出力とに結合される、電荷を蓄積するための第４の手段も含む場合がある。たとえば、電荷を蓄積するための第４の手段は、図３のキャパシタ３２８、図４のキャパシタ４２８、１つまたは複数の他のデバイス、回路またはその任意の組合せを含む場合がある。
【００７１】
[0077]また、装置は、電荷を蓄積するための第２の手段に結合される、電荷を蓄積するための第５の手段を含む場合がある。たとえば、電荷を蓄積するための第５の手段は、図４のキャパシタ４４４、１つまたは複数の他のデバイス、回路またはその任意の組合せを含む場合がある。また、装置は、電荷を蓄積するための第５の手段に結合されるインダクタンスを生成するための第２の手段を含む場合がある。たとえば、インダクタンスを生成するための第２の手段は、図４のキャパシタ４４８、１つまたは複数の他のデバイス、回路またはその任意の組合せを含む場合がある。
【００７２】
[0078]また、装置は、電荷を蓄積するための第４の手段と、インダクタンスを生成するための第２の手段とに結合される、電荷を蓄積するための第６の手段を含む場合がある。たとえば、電荷を蓄積するための第６の手段は、図４のキャパシタ４４６、１つまたは複数の他のデバイス、回路またはその任意の組合せを含む場合がある。また、その装置は、送信信号を増幅するための手段を含む場合もある。たとえば、送信信号を増幅するための手段は、図３の電力増幅器３００、図４の電力増幅器４００、１つまたは複数の他のデバイス、回路、またはその任意の組合せを含む場合がある。
【００７３】
[0079]また、その装置は、送信信号を増幅するための手段に送信信号を与えるように構成される送信信号を生成するための手段を含む場合がある。たとえば、送信信号を生成するための手段は、図５のドライバ増幅器５００、図６のドライバ増幅器６００、１つまたは複数の他のデバイス、回路、またはその任意の組合せを含む場合がある。
【００７４】
[0080]送信信号を生成するための手段は、電荷を蓄積するための第７の手段に並列に結合される、切り替えるための第１の手段を含む場合がある。たとえば、切り替えるための第１の手段は、図５のスイッチ５１６、１つまたは複数の他のデバイス、回路またはその任意の組合せを含む場合がある。電荷を蓄積するための第７の手段は、図５のキャパシタ５２０、１つまたは複数の他のデバイス、回路またはその任意の組合せを含む場合がある。送信信号を生成するための手段は、電荷を蓄積するための第８の手段に並列に結合される、切り替えるための第２の手段を含む場合がある。たとえば、切り替えるための第２の手段は、図５のスイッチ５１８、１つまたは複数の他のデバイス、回路またはその任意の組合せを含む場合がある。電荷を蓄積するための第８の手段は、図５のキャパシタ５２２、１つまたは複数の他のデバイス、回路またはその任意の組合せを含む場合がある。送信信号を生成するための手段は、インダクタンスを生成するための第３の手段に並列に結合される、切り替えるための第３の手段を含む場合がある。たとえば、切り替えるための第３の手段は、図５のスイッチ５２６、１つまたは複数の他のデバイス、回路またはその任意の組合せを含む場合がある。インダクタンスを生成するための第３の手段は、図５のインダクタ５２４、図６のインダクタ６２４、１つまたは複数の他のデバイス、回路、またはその任意の組合せを含む場合がある。
【００７５】
[0081]また、送信信号を生成するための手段は、インダクタンスを生成するための第４の手段の第１の端子を、インダクタンスを生成するための第３の手段の第２の端子に選択的に結合したに構成される、切り替えるための第４の手段を含む場合もある。たとえば、切り替えるための第４の手段は、図６のスイッチ６２６、１つまたは複数の他のデバイス、回路またはその任意の組合せを含む場合がある。インダクタンスを生成するための第４の手段は、図６のキャパシタ６２４、１つまたは複数の他のデバイス、回路またはその任意の組合せを含む場合がある。
【００７６】
[0082]また、送信信号を生成するための手段は、インダクタンスを生成するための第４の手段の第２の端子を、インダクタンスを生成するための第３の手段の第１の端子に選択的に結合するように構成される、切り替えるための第５の手段を含む場合もある。たとえば、切り替えるための第５の手段は、図６のスイッチ６２８、１つまたは複数の他のデバイス、回路またはその任意の組合せを含む場合がある。
【００７７】
[0083]開示されている実施形態の上記の説明は、当業者が開示されている実施形態を製作または使用することを可能にするために提供されている。これらの実施形態に対する種々の修正は、当業者には容易に明らかになり、本明細書において規定される原理は、本開示の範囲から逸脱することなく、他の実施形態に適用される場合がある。したがって、本開示は、本明細書において示される実施形態に限定されることを意図するものではなく、特許請求の範囲によって規定される原理および新規の特徴と合致する最も広い取り得る範囲が与えられるべきである。
【図１】
2017517208.tif 000003
【図２】
2017517208.tif 000004
【図３】
2017517208.tif 000005
【図４】
2017517208.tif 000006
【図５】
2017517208.tif 000007
【図６】
2017517208.tif 000008
【図７】
2017517208.tif 000009
【手続補正書】
【提出日】平成29年1月31日(2017.1.31)
【手続補正１】
【補正対象書類名】特許請求の範囲
【補正対象項目名】全文
【補正方法】変更
【補正の内容】
【特許請求の範囲】
【請求項１】
装置であって、
第１の出力および第２の出力を有する差動増幅器と、
前記差動増幅器の前記第１の出力に結合される第１の端子を有する第１のキャパシタと、
前記第１のキャパシタの第２の端子に結合される第１の端子を有するインダクタと、
前記インダクタの第２の端子に結合される第１の端子と、前記差動増幅器の前記第２の出力に結合される第２の端子とを有する第２のキャパシタと
を備え、
前記第１のキャパシタの前記第２の端子は第１のトランジスタに結合され、前記第２のキャパシタの前記第１の端子は第２のトランジスタに結合される、装置。
【請求項２】
広帯域にわたって調整可能である電力増幅器をさらに備え、前記電力増幅器は、前記第１のキャパシタ、前記インダクタおよび前記第２のキャパシタを含む、請求項１に記載の装置。
【請求項３】
前記電力増幅器に送信信号を与えるように構成されるドライバ増幅器をさらに備え、前記ドライバ増幅器は、
第７のキャパシタに並列に結合される第１のスイッチと、
第８のキャパシタに並列に結合される第２のスイッチと、
第３のインダクタに並列に結合される第３のスイッチと
を備え、前記第１のスイッチ、前記第２のスイッチおよび前記第３のスイッチは、前記ドライバ増幅器の動作周波数を調節するために選択的に起動される、請求項２に記載の装置。
【請求項４】
前記第７のキャパシタおよび前記第８のキャパシタは調整可能である、請求項３に記載の装置。
【請求項５】
前記第１の出力におよび前記第１のキャパシタの前記第１の端子に結合される第１の端子を有し、前記第２の出力におよび前記第２のキャパシタの前記第２の端子に結合される第２の端子を有する変圧器をさらに備える、請求項１に記載の装置。
【請求項６】
装置であって、
第１の出力および第２の出力を有する差動増幅器と、
前記差動増幅器の前記第１の出力に結合される第１の端子を有する第１のキャパシタと、
前記第１のキャパシタの第２の端子に結合される第１の端子を有するインダクタと、
前記インダクタの第２の端子に結合される第１の端子と、前記差動増幅器の前記第２の出力に結合される第２の端子とを有する第２のキャパシタと、
前記インダクタの前記第１の端子に結合される第３のキャパシタと、
前記インダクタの前記第２の端子に結合され、前記差動増幅器の前記第２の出力に、前記第２のキャパシタを介して結合される第４のキャパシタと
を備える、装置。
【請求項７】
前記第３のキャパシタおよび前記第４のキャパシタは調整可能キャパシタである、請求項６に記載の装置。
【請求項８】
前記第２のキャパシタの前記第２の端子に結合される第５のキャパシタと、
前記第５のキャパシタの第２の端子に結合される第２のインダクタと、
前記第２のインダクタの第２の端子に結合される第１の端子を有し、前記第１のキャパシタの前記第１の端子に結合される第２の端子を有する第６のキャパシタと
をさらに備える、請求項６に記載の装置。
【請求項９】
グラウンド電圧ソースに結合される第１の端子と、前記第１のキャパシタの前記第２の端子におよび前記インダクタの前記第１の端子に結合される第２の端子とを有する第１のトランジスタと、
前記グラウンド電圧ソースに結合される第１の端子と、前記第２のキャパシタの前記第１の端子におよび前記インダクタの前記第２の端子に結合される第２の端子とを有する第２のトランジスタと、
前記グラウンド電圧ソースに結合される第１の端子と、前記第３のキャパシタの第２の端子に結合される第２の端子とを有する第３のトランジスタと、
前記グラウンド電圧ソースに結合される第１の端子と、前記第４のキャパシタの第１の端子に結合される第２の端子とを有する第４のトランジスタと、
をさらに備える、請求項６に記載の装置。
【請求項１０】
装置であって、
差動信号を増幅するための手段と、
増幅するための前記手段の第１の出力に結合される第１の端を有し、増幅するための前記手段の第２の出力に結合される第２の端を有するインピーダンスループと、前記インピーダンスループは、
増幅するための前記手段の前記第１の出力に結合される第１の端子を有する、電荷を蓄積するための第１の手段と、
電荷を蓄積するための前記第１の手段の第２の端子に結合される第１の端子を有する、インダクタンスを生成するための手段と、
前記インダクタンスを生成するための前記手段の第２の端子に結合される第１の端子と、増幅するための前記手段の前記第２の出力に結合される第２の端子とを有する、電荷を蓄積するための第２の手段と
を備え、
電荷を蓄積するための前記手段の前記第２の端子は、電流を選択的に導通するための第１の手段に結合され、電荷を蓄積するための前記第２の手段の前記第１の端子は、電流を選択的に導通するための第２の手段に結合される、装置。
【請求項１１】
電荷を蓄積するための前記第１の手段、前記インダクタンスを生成するための前記手段、電荷を蓄積するための前記第２の手段は、前記インピーダンスループにおいて直列に結合される、請求項１０に記載の装置。
【請求項１２】
前記差動信号を増幅するための前記手段に前記差動信号を与えるように構成される、前記差動信号を生成するための手段をさらに備え、前記差動信号を生成するための前記手段は、
電荷を蓄積するための第７の手段に並列に結合される、切り替えるための第１の手段と、
電荷を蓄積するための第８の手段に並列に結合される、切り替えるための第２の手段と、
インダクタンスを生成するための第３の手段に並列に結合される、切り替えるための第３の手段と
を備え、切り替えるための前記第１の手段、切り替えるための前記第２の手段および切り替えるための前記第３の手段は、前記差動信号を生成するための前記手段の動作周波数を調節するために選択的に起動される、請求項１０に記載の装置。
【請求項１３】
前記インダクタンスを生成するための前記手段の前記第１の端子に結合される、電荷を蓄積するための第３の手段と、
前記インダクタンスを生成するための前記手段の前記第２の端子に結合され、電荷を蓄積するための前記第２の手段を介して、増幅するための前記手段の前記第２の出力に結合される、電荷を蓄積するための第４の手段と
をさらに備える、請求項１０に記載の装置。
【請求項１４】
電荷を蓄積するための前記第４の手段および電荷を蓄積するための前記第３の手段は調整可能である、請求項１３に記載の装置。
【請求項１５】
増幅するための前記手段の前記第１の出力に結合される第１の端を有し、増幅するための前記手段の前記第２の出力に結合される第２の端を有する第２のインピーダンスループをさらに備え、前記第２のインピーダンスループは、
電荷を蓄積するための第５の手段と、
電荷を蓄積するための前記第５の手段に結合される、インダクタンスを生成するための第２の手段と、
前記インダクタンスを生成するための前記第２の手段に結合される、電荷を蓄積するための第６の手段と
を備える、請求項１３に記載の装置。
【請求項１６】
方法であって、
電力増幅器の差動増幅器において差動入力信号を増幅することと、
前記増幅された差動信号を前記差動増幅器の第１の出力において、キャパシタと、前記キャパシタに結合されるインダクタと、前記インダクタにおよび前記差動増幅器の第２の出力に結合される第２のキャパシタとを含むループに与えることと、
イネーブル信号を受信することと、
前記イネーブル信号に基づいて、グラウンド電圧を前記キャパシタ、前記インダクタ、前記第２のキャパシタに与えることと
を備える、方法。
【請求項１７】
マルチバンドドライバ増幅器から前記差動入力信号を受信することをさらに備える、請求項１６に記載の方法。
【請求項１８】
第２のイネーブル信号を受信することと、
前記第２のイネーブル信号に基づいて、グラウンド電圧を、前記差動増幅器に結合される第２のループの第３のキャパシタ、第２のインダクタおよび第４のキャパシタに与えることと
をさらに備える、請求項１６に記載の方法。
【手続補正２】
【補正対象書類名】明細書
【補正対象項目名】００７７
【補正方法】変更
【補正の内容】
【００７７】
[0083]開示されている実施形態の上記の説明は、当業者が開示されている実施形態を製作または使用することを可能にするために提供されている。これらの実施形態に対する種々の修正は、当業者には容易に明らかになり、本明細書において規定される原理は、本開示の範囲から逸脱することなく、他の実施形態に適用される場合がある。したがって、本開示は、本明細書において示される実施形態に限定されることを意図するものではなく、特許請求の範囲によって規定される原理および新規の特徴と合致する最も広い取り得る範囲が与えられるべきである。
以下に本願発明の当初の特許請求の範囲に記載された発明を付記する。
［Ｃ１］
装置であって、
第１のキャパシタと、
前記第１のキャパシタに結合されるインダクタと、
前記インダクタと、差動増幅器の第１の出力とに結合される第２のキャパシタとを備える、装置。
［Ｃ２］
前記第１のキャパシタは第１のトランジスタに結合され、前記インダクタは第２のトランジスタに結合される、Ｃ１に記載の装置。
［Ｃ３］
前記インダクタに結合される第３のキャパシタと、
前記インダクタと、前記差動増幅器の第２の出力とに結合される第４のキャパシタとをさらに備える、Ｃ１に記載の装置。
［Ｃ４］
前記第３のキャパシタは第３のトランジスタに結合される、Ｃ３に記載の装置。
［Ｃ５］
前記第２のキャパシタに結合される第５のキャパシタと、
前記第５のキャパシタに結合される第２のインダクタと、
前記第４のキャパシタに結合され、前記第２のインダクタに結合される第６のキャパシタとをさらに備える、Ｃ３に記載の装置。
［Ｃ６］
広帯域にわたって調整可能である電力増幅器をさらに備え、前記電力増幅器は、前記第１のキャパシタ、前記インダクタおよび前記第２のキャパシタを含む、Ｃ１に記載の装置。
［Ｃ７］
前記電力増幅器に送信信号を与えるように構成されるドライバ増幅器をさらに備え、前記ドライバ増幅器は、
第７のキャパシタに並列に結合される第１のスイッチと、
第８のキャパシタに並列に結合される第２のスイッチと、
第３のインダクタに並列に結合される第３のスイッチとを備え、前記第１のスイッチ、前記第２のスイッチおよび前記第３のスイッチは、前記ドライバ増幅器の動作周波数を調節するために選択的に起動される、Ｃ１に記載の装置。
［Ｃ８］
前記第７のキャパシタおよび前記第８のキャパシタは調整可能である、Ｃ７に記載の装置。
［Ｃ９］
前記ドライバ増幅器はさらに、
第４のインダクタの第１の端子を前記第３のインダクタの第２の端子に選択的に結合するように構成される第４のスイッチと、
前記第４のインダクタの第２の端子を前記第３のインダクタの第１の端子に選択的に結合するように構成される第５のスイッチとを備え、
前記第４のスイッチおよび前記第５のスイッチは、前記ドライバ増幅器のインダクタンスを調節するために選択的に起動される、Ｃ７に記載の装置。
［Ｃ１０］
装置であって、
電荷を蓄積するための第１の手段と、
電荷を蓄積するための前記第１の手段に結合されるインダクタンスを生成するための第１の手段と、
インダクタンスを生成するための前記第１の手段と、差動増幅器の第１の出力とに結合される、電荷を蓄積するための第２の手段とを備える、装置。
［Ｃ１１］
電荷を蓄積するための前記第１の手段は、第１のトランジスタに結合され、インダクタンスを生成するための前記第１の手段は第２のトランジスタに結合される、Ｃ１０に記載の装置。
［Ｃ１２］
前記インダクタンスを生成するための前記第１の手段に結合される、電荷を蓄積するための第３の手段と、
前記インダクタンスを生成するための前記第１の手段と、前記差動増幅器の第２の出力とに結合される、電荷を蓄積するための第４の手段とをさらに備える、Ｃ１０に記載の装置。
［Ｃ１３］
電荷を蓄積するための前記第１の手段および電荷を蓄積するための前記第３の手段は調整可能である、Ｃ１２に記載の装置。
［Ｃ１４］
電荷を蓄積するための前記第２の手段に結合される、電荷を蓄積するための第５の手段と、
電荷を蓄積するための前記第５の手段に結合されるインダクタンスを生成するための第２の手段と、
電荷を蓄積するための前記第４の手段と、前記インダクタンスを生成するための前記第２の手段とに結合される、電荷を蓄積するための第６の手段とをさらに備える、Ｃ１２に記載の装置。
［Ｃ１５］
送信信号を増幅するための手段をさらに備え、前記送信信号を増幅するための前記手段は、電荷を蓄積するための前記第１の手段と、前記インダクタンスを生成するための前記第１の手段と、電荷を蓄積するための前記第２の手段とを含む、Ｃ１０に記載の装置。
［Ｃ１６］
前記送信信号を増幅するための前記手段に前記送信信号を与えるように構成される前記送信信号を生成するための手段をさらに備え、前記送信信号を生成するための前記手段は、
電荷を蓄積するための第７の手段に並列に結合される切り替えるための第１の手段と、
電荷を蓄積するための第８の手段に並列に結合される切り替えるための第２の手段と、
インダクタンスを生成するための第３の手段に並列に結合される切り替えるための第３の手段とを備え、切り替えるための前記第１の手段、切り替えるための前記第２の手段および切り替えるための前記第３の手段は、前記送信信号を生成するための前記手段の動作周波数を調節するために選択的に起動される、Ｃ１５に記載の装置。
［Ｃ１７］
前記送信信号を生成するための前記手段は、
インダクタンスを生成するための第４の手段の第１の端子を、前記インダクタンスを生成するための前記第３の手段の第２の端子に選択的に結合したに構成される、切り替えるための第４の手段と、
前記インダクタンスを生成するための前記第４の手段の第２の端子を、前記インダクタンスを生成するための前記第３の手段の第１の端子に選択的に結合するように構成される、切り替えるための第５の手段とをさらに備え、
切り替えるための前記第４の手段および切り替えるための前記第５の手段は、前記送信信号を生成するための前記手段のインダクタンスを調節するために選択的に起動される、Ｃ１６に記載の装置。
［Ｃ１８］
方法であって、
電力増幅器の差動増幅器において差動入力信号を増幅することと、
前記増幅された差動信号を前記差動増幅器の第１の出力においてキャパシタに与えることと、ここにおいて、前記キャパシタはインダクタに結合され、前記インダクタは第２のキャパシタに結合される、方法。
［Ｃ１９］
電力増幅器を第１の周波数帯域において動作させるために、前記インダクタに結合される第１のトランジスタを動作状態にすることをさらに備える、Ｃ１８に記載の方法。
［Ｃ２０］
前記電力増幅器を第１の周波数帯域および第２の周波数帯域において同時に動作させるために、前記第２のキャパシタに結合される第２のトランジスタを動作状態にすることをさらに含む、Ｃ１８に記載の方法。
【国際調査報告】
2017517208.tif 000010
2017517208.tif 000011
2017517208.tif 000012